【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
（ａ）シャフトを有したカテーテルと；
（ｂ）膨張状態を有しかつ該膨張状態において通路を囲むように環状形状を有した膨張可能な部材と；
を具備してなり；
前記カテーテルおよび膨張可能な部材は、前記通路内にカテーテルシャフトの一部があるとき、該カテーテルシャフトの少なくとも一部に沿って膨張状態の膨張可能な部材が摺動することなく転動するよう構成されており、
前記膨張可能な部材が前記カテーテルシャフトに取着され、それにより、前記カテーテルシャフトが前記膨張可能な部材の先端縁部を常に越えて延出していることを特徴とするシステム。
【請求項２】
前記カテーテルシャフトが更にその外面に１又はそれ以上の保持部材を有する請求項１記載のシステム。
【請求項３】
前記保持部材が、収集カップ、溝、および突起からなる群から選択されるものである請求項２記載のシステム。
【請求項４】
前記システムは、更に、保持スリーブを具備してなり、該保持スリーブの内壁面が前記膨張可能な部材の外面に対し１又はそれ以上の接合点で取着され、それにより、前記スリーブと、前記カテーテルシャフトとの間の前記接合点の少なくとも一側に環状空間を形成している請求項１記載のシステム。
【請求項５】
前記膨張可能な部材がバルーンである請求項１記載のシステム。
【請求項６】
前記カテーテルが、バルーンを膨張させるため前記シャフトに沿ってバルーンに流体を導入するのに適したダクトを備えてなる請求項１記載のシステム。
【請求項７】
カテーテルが、体内の部位に対象物を搬送するよう構成されている請求項１記載のシステム。
【請求項８】
該対象物がステント又は作業ツールである請求項７記載のシステム。
【請求項９】
該作業ツールが、ドリル、ブレード、プローブ、ライトガイド、光源、無線周波数電極、近距離放射線療法のための放射性線源、又は超音波プローブである請求項８記載のシステム。
【請求項１０】
前記カテーテルが、体内部位内の対象物、血栓物質、壊死組織片及び/又は他の粒状物質を回収するよう構成されている請求項１記載のシステム。
【請求項１１】
前記カテーテルは、膨張可能な部材を、前記シャフト上において前方に転動させる押し込み機構を更に具備してなる請求項１記載のシステム。
【請求項１２】
対象物を体内の或る部位に搬送する方法において使用するためのシステムであって、
（ａ）カテーテル上に対象物を装着する工程であって、カテーテルが、シャフトと、膨張可能な部材とを有し、膨張可能な部材が、膨張状態を有しかつ該膨張状態において通路を囲むように環状形状を有し、前記カテーテルおよび前記膨張可能な部材が、前記通路内にカテーテルシャフトの一部があるとき、該カテーテルシャフトの少なくとも一部に沿って膨張状態の膨張可能な部材が摺動することなく転動するよう構成されており、前記膨張可能な部材が前記カテーテルシャフトに取着され、それにより、該カテーテルシャフトが前記膨張可能な部材の先端縁部を常に越えて延出しており；
（ｂ）前記カテーテル上の対象物を体内部位に搬送する工程と；
（ｃ）前記膨張可能な部材を膨張状態にして、前記膨張可能な部材が１又はそれ以上の体内構造物を押圧する工程と；
（ｄ）前記シャフトを前方に移動させ、膨張可能な部材を、摺動させることなく該シャフト上において後方の転動させる工程と；
を具備してなる方法において使用するためのシステム。
【請求項１３】
対象物を体内部位から回収する方法において使用するためのシステムであって、
（ａ）体内部位にカテーテルを搬送する工程であって、このカテーテルが；
（ａａ）シャフトと；
（ａｂ）膨張可能な部材であって、該膨張可能な部材が、膨張状態を有しかつ該膨張状態において通路を囲むように環状形状を有し、前記カテーテルおよび膨張可能な部材が、前記通路内にカテーテルシャフトの一部があるとき、該カテーテルシャフトの少なくとも一部に沿って膨張状態の膨張可能な部材が摺動することなく転動するよう構成されており、前記膨張可能な部材が前記カテーテルシャフトに取着され、それにより、前記カテーテルシャフトが前記膨張可能な部材の先端縁部を常に越えて延出しており；
更に、
（ａｃ）前記膨張可能な部材を、カテーテルシャフト上において前方に転動させる押圧機構と；
を具備してなり；
（ｂ）前記膨張可能な部材を膨張状態にする工程と；
（ｃ）前記対象物を越えて転動するように前記膨張状態の膨張可能な部材を前方に転動させ、該対象物を前記通路内に捕らえる工程と；
（ｄ）前記カテーテルを体内から取り出す工程と；
を具備してなる方法において使用するためのシステム。
【請求項１４】
壊死組織片及び/又は他の粒状物質を血管から回収する方法において使用するためのシステムであって、
（ａ）血管の疾患部位に、抹消管脈構造を介してカテーテルシステムを搬送する工程であって、このカテーテルシステムが；
ｉ）シャフトと；
ii）膨張可能な部材であって、該膨張可能な部材が、該膨張状態を有しかつ該膨張状態において通路を囲むように環状形状を有し、カテーテルおよび膨張可能な部材が、前記通路内にカテーテルシャフトの一部があるとき、該カテーテルシャフトの少なくとも一部に沿って膨張状態の膨張可能な部材が摺動することなく転動するよう構成されており、前記膨張可能な部材が前記カテーテルシャフトに取着され、それにより、前記カテーテルシャフトが前記膨張可能な部材の先端縁部を常に越えて延出しており；
（ｂ）前記膨張可能な部材を膨張状態にする工程と；
（ｃ）前記膨張状態の膨張可能な部材を、対象物を越えて転動するように、後方、前方又は双方に転動させ、壊死組織片及び/又は他の粒状物質を前記通路内に捕らえる工程と；
（ｄ）前記膨張可能な部材を収縮させ、それにより壊死組織片及び/又は他の粒状物質を、収縮させた膨張可能な部材と、前記カテーテルシャフトとの間に捕捉する工程と；
（ｅ）前記カテーテルシステムを、前記管脈構造を介して引き出すことにより、前記カテーテルシステムと共に壊死組織片及び/又は他の粒状物質を除去する工程と；
を具備してなる方法において使用するためのシステム。
【請求項１５】
血管の疾患部位を拡大及び/又は膨張させ、該血管から壊死組織片及び/又は他の粒状物質を回収する方法において使用するためのシステムであって、
（ａ）血管の疾患部位より遠位の部位に、抹消管脈構造を介してカテーテルシステムを搬送する工程であって、このカテーテルシステムが；
ｉ）シャフトと；
ii）膨張可能な部材であって、該膨張可能な部材が、該膨張状態を有しかつ該膨張状態において通路を囲むように環状形状を有し、カテーテルおよび膨張可能な部材が、前記通路内にカテーテルシャフトの一部があるとき、該カテーテルシャフトの少なくとも一部に沿って膨張状態の膨張可能な部材が摺動することなく転動するよう構成されており、前記膨張可能な部材が前記カテーテルシャフトに取着され、それにより、前記カテーテルシャフトが前記膨張可能な部材の先端縁部を常に越えて延出しており；
（ｂ）前記膨張可能な部材を膨張状態にする工程と；
（ｃ）前記膨張状態の膨張可能な部材を、対象物を越えて転動するように、基端、先端又はその双方に向けて転動させ、壊死組織片及び/又は他の粒状物質を前記通路内に捕らえ、圧迫又は転動機構により血管を拡大させる工程と；
（ｄ）前記膨張可能な部材を収縮させ、それにより壊死組織片及び/又は他の粒状物質を、収縮させた膨張可能な部材と、前記カテーテルシャフトとの間に捕捉する工程と；
（ｅ）前記カテーテルシステムを、前記管脈構造を介して引き出すことにより、前記カテーテルシステムと共に壊死組織片及び/又は他の粒状物質を除去する工程と；
を具備してなる方法において使用するためのシステム。
【請求項１６】
血管の疾患部位を拡大及び/又は膨張させ、該血管から壊死組織片及び/又は他の粒状物質を回収する方法において使用するためのシステムであって、
（ａ）血管の疾患部位より近位の部位に、抹消管脈構造を介してカテーテルシステムを搬送する工程であって、このカテーテルシステムが；
ｉ）シャフトと；
ii）膨張可能な部材であって、該膨張可能な部材が、該膨張状態を有しかつ該膨張状態において通路を囲むように環状形状を有し、カテーテルおよび膨張可能な部材が、前記通路内にカテーテルシャフトの一部があるとき、該カテーテルシャフトの少なくとも一部に沿って膨張状態の膨張可能な部材が摺動することなく転動するよう構成されており、前記膨張可能な部材が前記カテーテルシャフトに取着され、それにより、該カテーテルシャフトが前記膨張可能な部材の先端縁部を常に越えて延出しており；
（ｂ）前記膨張可能な部材を膨張状態にする工程と；
（ｃ）前記膨張状態の膨張可能な部材を、対象物を越えて転動するように、基端、先端又はその双方に向けて転動させ、壊死組織片及び/又は他の粒状物質を前記通路内に捕らえ、圧迫又は転動機構により血管を拡大させる工程と；
（ｄ）前記膨張可能な部材を収縮させ、それにより壊死組織片及び/又は他の粒状物質を、収縮させた膨張可能な部材と、前記カテーテルシャフトとの間に捕捉する工程と；
（ｅ）前記カテーテルシステムを、前記管脈構造を介して引き出すことにより、前記カテーテルシステムと共に壊死組織片及び/又は他の粒状物質を除去する工程と；
を具備してなる方法において使用するためのシステム。
【請求項１７】
前記カテーテルシャフトが更にその外面に保持部材を有する請求項１２から１６のいずれかに記載のシステム。
【請求項１８】
カテーテルシステムが更に、保持スリーブを具備してなり、該保持スリーブの内壁面が前記膨張可能な部材の外面に対し１又はそれ以上の接合点で取着され、それにより、前記スリーブと、前記カテーテルシャフトとの間の該接合点の少なくとも一側に環状空間を形成し、捕捉された壊死組織片及び/又は他の粒状物質の少なくとも一部が前記環状空間内に捕捉されている請求項１２から１６のいずれかに記載のシステム。
【請求項１９】
前記膨張可能な部材がバルーンである請求項１２から１６のいずれかに記載のシステム。
【請求項２０】
外表面にスリーブを設けたバルーンであって、
前記スリーブの内側壁面の一部が、前記バルーンの外表面に対し１又はそれ以上の接合点で取着され、
それにより、該前記スリーブと前記バルーンの外表面の少なくとも一部との間に環状空間が、前記接合点の少なくとも一側に形成されているバルーン。